(57)【特許請求の範囲】
【請求項１】
アクチュエータの作動によるプランジャ手段の作動によって、操作プランジャを押込み作動させて一方及び他方の検出スイッチ部にスイッチング動作を行わせる検出スイッチであって、
前記一方及び他方の検出スイッチ部の前記操作プランジャの端部を屈曲してバー部を形成し、前記バー部を前記プランジャ手段が押圧する押圧部にすると共に、前記操作プランジャの端部にバー当接部を設け、
前記一方の検出スイッチ部と前記他方の検出スイッチ部とを互いに合せて、前記一方の検出スイッチ部の前記バー部を前記他方の検出スイッチ部の前記バー当接部に当接し、前記他方の検出スイッチ部の前記バー部を前記一方の検出スイッチ部の前記バー当接部に当接して、前記一方及び他方の検出スイッチ部の前記バー部に前記プランジャ手段が押圧作用するようにしたことを特徴とする検出スイッチ。
【請求項２】
前記プランジャ手段に押圧子を設け、前記一方及び他方の検出スイッチ部の前記操作プランジャの前記バー部の、これらのバー部を等分する位置に突起部を設け、前記押圧子を前記突起部に当接させるようにした請求項１に記載の検出スイッチ。
【請求項３】
前記押圧子が前記操作プランジャの動作位置を調整する調整ねじ部材であり、この調整ねじ部材は幅広な先部を有しており、この先部を前記突起部に当接させるようにした請求項２に記載の検出スイッチ。
【請求項４】
前記一方の検出スイッチ部と前記他方の検出スイッチ部とを同じ構成にして、前記一方の検出スイッチ部と前記他方の検出スイッチ部とを組合せるようにした請求項１又は請求項２に記載の検出スイッチ。
【請求項５】
前記検出スイッチ部が、前記アクチュエータの作動による前記プランジャ手段の作動によって前記操作プランジャを復帰ばねに抗して押込み作動させてスイッチング動作を行う構成であり、前記復帰ばねにセーフティスプリングを用いており、該セーフティスプリングは、その内側もしくは外側がガイド部材によりガイドされ且つ当該ばね線の線径が前記ばね線間の隙間より大きくなるように設定したものであることを特徴とする請求項１乃至請求項３に記載の検出スイッチ。
【発明の詳細な説明】
【０００１】
【発明の属する技術分野】
本発明は、物体の検出等に用いられるリミットスイッチのような検出スイッチに関するものである。
【０００２】
【従来の技術】
複数の制御を同時に行うにあたって、これらの制御が１個の検出スイッチ（リミットスイッチ）で行えない場合、複数の操作体（例えば、ドッグ）を用意し、これらの操作体で複数の検出スイッチを同時に動作させる必要があった。
【０００３】
そして、従来の検出スイッチとしては図１６乃至図１８に示すものがあり、この検出スイッチにおいて、操作体であるドッグ（図示せず）を移動して、このドッグをアクチュエータ７９のローラ８６に接してローラレバー８７を倒すことにより回転軸８８を回転する。そして、この回転軸８８の回転により動作プランジャ８９が押し込まれて検出スイッチ８０の操作プランジャ８１が押し込まれ、この操作プランジャ８１を支えているＯＴ吸収スプリング８２は撓まないまま補助プランジャ８３が復帰ばね８５に抗して移動して、この補助プランジャ８３がケース８４の底面８４ａに当る。この状態で、ＯＴ吸収スプリング８２が撓み操作プランジャ８１をさらに押し込んでスイッチング動作を行う。
【０００４】
【発明が解決しようとする課題】
しかしながら、上記したように、複数の制御を同時に行うにあたって、これらの制御が１個の検出スイッチで行えない場合、複数の検出スイッチを同時に動作させる複数の操作体を用意しなければならず、このために、設計が複雑になり、コストアップの要因になるという問題点があった。
【０００５】
本発明は、上記の問題点に着目して成されたものであって、その目的とするところは、複数の検出スイッチ部を１つの操作体（例えば、ドッグ）により作動させることができて、複数の検出スイッチ部を内蔵スイッチにすることができる検出スイッチを提供することにある。
【０００９】
【課題を解決するための手段】
上記の目的を達成するために、本発明に係る検出スイッチは、アクチュエータの作動によるプランジャ手段の作動によって、操作プランジャを押込み作動させて一方及び他方の検出スイッチ部にスイッチング動作を行わせる検出スイッチであって、一方及び他方の検出スイッチ部の操作プランジャの端部を屈曲してバー部を形成し、バー部をプランジャ手段が押圧する押圧部にすると共に、操作プランジャの端部にバー当接部を設け、一方の検出スイッチ部と他方の検出スイッチ部とを互いに合せて、一方の検出スイッチ部のバー部を他方の検出スイッチ部のバー当接部に当接し、他方の検出スイッチ部のバー部を一方の検出スイッチ部のバー当接部に当接して、一方及び他方の検出スイッチ部のバー部にプランジャ手段が押圧作用するようにしたことを特徴とする。
【００１０】
かかる構成により、１つの操作体（例えば、ドッグ）がアクチュエータを作動させてプランジャ手段を作動させ、このプランジャ手段で一方及び他方の操作プランジャのバー部を押圧して一方及び他方の検出スイッチを同時に作動させることができる。
【００１１】
このように、検出スイッチを１つの操作体（例えば、ドッグ）により作動させることができるために、設計が簡素化されてコストダウンを図ることができる。また、万が一、１つの検出スイッチで復帰不良が生じたとしても、他の検出スイッチが作動するようになる。
【００１２】
また、上記の目的を達成するために、本発明に係る検出スイッチは、上記した本発明の検出スイッチにおいて、プランジャ手段に押圧子を設け、一方及び他方の検出スイッチ部の操作プランジャのバー部の、これらのバー部を等分する位置に突起部を設け、押圧子を突起部に当接させるようにしたものである。
【００１３】
そして、押圧子が操作プランジャの動作位置を調整する調整ねじ部材であり、この調整ねじ部材は幅広な先部を有しており、この先部を突起部に当接させるようにしてもよい。
【００１４】
かかる構成により、突起部はバー部を等分する位置に設けてあるために、一方及び他方の検出スイッチ部の操作プランジャに加わる作用力は同じ大きさになり、これらの操作プランジャが正常に作動し、スイッチング動作を確実に行うことができるし、また、押圧子を突起部に点接触で当接させるようにすると、摩擦が少なく、当接が確実になる。
【００１５】
また、上記の目的を達成するために、本発明に係る検出スイッチは、上記した本発明の検出スイッチにおいて、一方の検出スイッチ部と他方の検出スイッチ部とを同じ構成して、一方の検出スイッチ部と他方の検出スイッチ部とを組合せるようにしたものである。
【００１６】
かかる構成により、上記した本発明に係る検出スイッチの作用効果と同様な作用効果を奏し得るばかりか、一方の検出スイッチ部と他方の検出スイッチ部とが同じ構成であるために、組立性が良好になるばかりか、検出スイッチの製作コストを低減させることができる。
【００１７】
また、上記の目的を達成するために、本発明に係る検出スイッチは、上記した本発明の検出スイッチにおいて、検出スイッチ部が、アクチュエータの作動によるプランジャ手段の作動によって操作プランジャを復帰ばねに抗して押込み作動させてスイッチング動作を行う構成であり、復帰ばねにセーフティスプリングを用いており、該セーフティスプリングは、その内側もしくは外側がガイド部材によりガイドされ且つ当該ばね線の線径がばね線間の隙間より大きくなるように設定したものであることを特徴とするものである。
【００１８】
かかる構成により、上記した本発明に係る検出スイッチの作用効果と同様な作用効果を奏し得るばかりか、ばね折れが生じても、検出スイッチ部におけるノーマルオープン接点を強制的に開離させることができる。
【００１９】
以下、本発明を図面を参照して説明する。
【００２０】
（実施の形態１）
本発明に係る検出スイッチ（実施の形態１）を図１乃至図１３に示す。図１は本発明に係る検出スイッチ（実施の形態１）において、一方及び他方の検出スイッチ部を組合せ状態の斜視図、図２は同検出スイッチにおいて、一方及び他方の検出スイッチ部の組合せ前の状態の斜視図、図３は検出スイッチ部の縦断面図、図４は検出スイッチ部の一部破断した断面図である。
【００２１】
検出スイッチ部３３は、スイッチケース１と、操作プランジャ２と、第１可動接点３ａを有する第１可動片３と、第２可動接点４ａを有する第２可動片４と、第１、第２可動片３、４を保持する第１、第２接点ばね５、６とを有している。
【００２２】
そして、スイッチケース１の左、右側部には背面１Ａと同一面内に位置する係止部７が形成してあり、また、スイッチケース１内にはプランジャ収容部１ａが形成してあり、スイッチケース１内には第１、第２固定接点２１、２２が固着してある。
【００２３】
操作プランジャ２は、図５に示すようにプランジャ本体２Ａを有しており、このプランジャ本体２Ａの外面側には、外側ストッパー部８と、３つの可動片ガイド９、１０、１１と、３つのばね受部１２、１３、１４とが形成してあり、また、プランジャ本体２Ａの内面側には、内側ストッパー部１５と、ガイド孔１６ａを有するガイド部１６とが形成してある。
【００２４】
そして、プランジャ本体２Ａの先端部（上端部）には、このプランジャ本体２Ａの軸線イに対して内方向に直角を形成された屈曲部であるバー部１７が設けてあり、このバー部１７は押圧部Ｑである。また、プランジャ本体２Ａの先端部（上端部）には、バー部１７の基部に並べてバー当接部１８が形成してある。
【００２５】
そして、可動片ガイド９には第１可動片３が、可動片ガイド１１には第２可動片４が、それぞれプランジャ本体２Ａの軸線イの方向に移動可能に取り付けてあり、また、ばね受部１２には第１接点ばね５が、ばね受部１４には第２接点ばね６がそれぞれ設けてある。
【００２６】
そして、スイッチケース１のプランジャ収容部１ａには操作プランジャ２が組み込まれており、また、スイッチケース１にはガイドロッド１９が設けてあって、このガイドロッド１９は、ガイド部１６のガイド孔１６ａに挿入してあり、ガイドロッド１９には復帰ばね２０が沿わせてある。
【００２７】
そして、この復帰ばね２０により操作プランジャ２が持ち上げれられていて、操作プランジャ２の内、外側ストッパー部１５、８がプランジャ収容部１ａの端面に接しており、第１可動接点３ａは第１固定接点２１に接していて、ノーマルクローズ（ＮＣ）接点構成の第１スイッチ部２３を構成しているし、第２可動接点４ａは第２固定接点２２より離間していて、ノーマルオープン（ＮＯ）接点構成の第２スイッチ部２４を構成している。
【００２８】
また、検出スイッチ部３３−１では、可動片ガイド９に第１可動片３を、可動片ガイド１０に第２可動片４を、それぞれプランジャ本体２Ａの軸線イの方向に移動可能に取り付け、また、ばね受部１２に第１接点ばね５を、ばね受部１３に第２接点ばね６をそれぞれ設けて、第１、第２スイッチ部２５、２６を構成し、これらの第１、第２スイッチ部２５、２６を、いずれもノーマルクローズ（ＮＣ）接点構成にしている。そして、検出スイッチ部３３−１の他の構成は、上記した検出スイッチ部３３の構成と同じにしてある。なお、検出スイッチ部３３−１のすべてを検出スイッチ部３３の構成と同じにしてもよい。
【００２９】
そして、一方の検出スイッチ部である検出スイッチ部３３と他方の検出スイッチ部である検出スイッチ部３３−１とを互いに合せた状態にして、一方の検出スイッチ部３３のバー部１７を、他方の検出スイッチ部３３−１のバー当接部１８−１に当接し、他方の検出スイッチ部３３−１のバー部１７−１を、一方の検出スイッチ部３３のバー当接部１８に当接して双方のバー部１７、１７−１を並べることができる。
【００３０】
次に、上記のような一方及び他方の検出スイッチ部３３、３３−１を使用した本発明に係る検出スイッチとしてのリミットスイッチを説明する。
【００３１】
リミットスイッチはスイッチ本体４１を備えており、このスイッチ本体４１の端部にはヘッド部４２が設けてあり、また、スイッチ本体４１内には検出スイッチユニット４３が設けてある。そして、ヘッド部４２には、検出スイッチユニット４３を作動させるアクチュエータ４４が設けてある。
【００３２】
このアクチュエータ４４は、ヘッド部４２の軸受部４６、４７に回転可能に設けられた回転軸４８を有しており、この回転軸４８は、図９に示すようにレバー取付部４９と支承部５０、５１と支承部５０、５１の中間に位置するシール溝部５２とカム部５３と端側支承部５４を有している。
【００３３】
カム部５３は平坦面部５５を有しており、この平坦面部５５の中央にはベアリング受部５６が突設してあり、このベアリング受部５６は球状凹面５６ａを有しており、また、ベアリング受部５６の両端部は円弧面５６ｂにしてある。そして、球状凹面５６ａと円弧面５６ｂとの渡り部が突起部５６ｃにしてある。
【００３４】
そして、平坦面部５５がプランジャ復帰作動部を構成しており、ベアリング受部５６の球状凹面５６ａと円弧面５６ｂと突起部５６ｃとでプランジャ押込み作動部を構成している。また、シール溝部５２にはシールリング５２Ａが設けてある。
【００３５】
そして、回転軸４８は、支承部５０、５１が軸受部４６に、端側支承部５４が軸受５４Ａを介して軸受部４７にそれぞれ支承されてヘッド部４２に取り付けてあり、回転軸４８のヘッド部４２外に突出するレバー取付部４９にはローラレバー５７の基部が固着してあり、このローラレバー５７の端部にはローラ５８がローラシャフト５９により回転可能に保持されている。
【００３６】
スイッチ本体４１のケース４１Ａの端部には、ヘッド部４２の底部の開口部４２Ａに対向するカバー収容部６０が設けてあり、このカバー収容部６０の底部には開口部６０Ａが形成してある。そして、カバー収容部６０にはヘッドカバー６１が収容してあり、このヘッドカバー６１の底部には開口部６１Ａが形成してある。
【００３７】
また、ヘッドカバー６１には第１のプランジャ６２が摺動可能に設けてあり、この第１のプランジャ６２は筒状であり、この第１のプランジャ６２の外周部にはばね受部６３が形成してあり、また、第１のプランジャ６２の底部には開口部６４が形成してある。そして、ヘッドカバー６１内には復帰ばね６５が収容してあり、この復帰ばね６５はばね受部６３を介して第１のプランジャ６２を持ち上げていて、この第１のプランジャ６２の先端部をカム部５３の平坦面部５５に当接させている。
【００３８】
また、第１のプランジャ６２内には第２のプランジャ６６が設けてあり、この第２のプランジャ６６の先端部にはベアリング収容部６７が形成してあり、また、第２のプランジャ６６の下端部には押圧子６８が取り付けてある。また、第２のプランジャ６６の先部の外周にはばね受部６９が設けてある。そして、ベアリング収容部６７にはベアリング７０が収容してある。
【００３９】
そして、第１のプランジャ６２内にはばね部材７１が収容してあり、このばね部材７１はばね受部６９を介して第２のプランジャ６６を持ち上げていて、ベアリング７０をカム部５３のベアリング受部５６の球状凹面５６ａに当接させている。そして、第２のプランジャ６６の端部は第１のプランジャ６２の底部の開口部６４及びヘッドカバー６１の開口部６１Ａをそれぞれ貫通している。そして、第１のプランジャ６２と第２のプランジャ６６と第１のプランジャ６２を保持する復帰ばね６５と第２のプランジャ６６を保持するばね部材７１とでプランジャ手段が構成されている。
【００４０】
検出スイッチユニット４３は、ケース７２と、このケース７２内に背中合わせで組み付けられている内蔵スイッチである一方及び他方の検出スイッチ部３３、３３−１とを備えている。
【００４１】
ケース７２は、図８に示すように上面部７２Ａと、左、右面部７２Ｂ、７２Ｃと、下面部７２Ｄと、背面部７２Ｅとを有しており、その前面が開口したボックス形状をしている。
【００４２】
そして、上面部７２Ａには、その中央に位置させて前縁部から背面部７２Ｅ側に至る切欠部７５が形成してあり、左、右面部７２Ｂ、７２Ｃには、前縁部から背面部７２Ｅ側に至る切り溝部７６が形成してあり、これらの切り溝部７６の端部にはランス部７７が形成してあり、これらのランス部７７は切り溝部７６内に位置している。
【００４３】
また、左、右面部７２Ｂ、７２Ｃの外面には係合部７８が上下に形成してある。また、下面部７２Ｄには、その中央に位置させて前縁部から背面部７２Ｅ側に至る切欠部７９が形成してあり、左、右面部７２Ｂ、７２Ｃと下面部７２Ｄとがなす角部は切欠されていて、これらの切欠部はリード線導出部７９Ａにしてある。
【００４４】
そして、一方の検出スイッチ部３３と他方の検出スイッチ部３３−１とは、その背面１Ａを合せた状態でケース７２に収容してあり、この場合、ケース７２に設けたランス部７７が係止部７に係脱可能に係止していて、一方の検出スイッチ部３３と他方の検出スイッチ部３３−１とはケース７２に固定されている。
【００４５】
そして、ケース７２の上面部７２Ａの切欠部７５から、一方の検出スイッチ部３３の操作プランジャ２と、他方の検出スイッチ部３３−１の操作プランジャ２−１とが突出していて、図１に示すように一方の検出スイッチ部３３の操作プランジャ２のバー部１７が、他方の検出スイッチ部３３−１の操作プランジャ２−１のバー当接部１８−１に当接しており、他方の検出スイッチ部３３−１の操作プランジャ２−１のバー部１７−１が、一方の検出スイッチ部３３の操作プランジャ２のバー当接部１８に当接していて、一方及び他方の検出スイッチ部３３、３３−１の操作プランジャ２、２−１のバー部１７、１７−１が互いに接した状態で並べてある。
【００４６】
このように構成された検出スイッチユニット４３は、スイッチ本体４１のケース４１Ａ内に収容してある。この場合、ケース４１Ａの内面に設けた係合突起部９３が、ケース７２の左、右面部７２Ｂ、７２Ｃの係合部７８に係脱可能に係合している。
【００４７】
そして、図１、図６、図７に示すように第２のプランジャ６６の押圧子６８が、一方及び他方の検出スイッチ部３３、３３−１の操作プランジャ２、２−１のバー部１７、１７−１に当接している。
【００４８】
また、第１のプランジャ６２を持ち上げている復帰ばね６５と、一方及び他方の検出スイッチ部３３、３３−１の復帰ばね２０とには、図１０に示すようにセーフティスプリング９５が使用してある。このセーフティスプリング９５は、内側（もしくは外側）をガイド部材によりガイドされており、なお且つ取付状態でばね線９５ａの線径Ａがばね線９５ａ間の隙間Ｂより大きくなるように設計されたコイルスプリングである。
【００４９】
そして、復帰ばね６５の場合には、図１２の（１）、（２）に示すように、その外側がガイド部材であるヘッドケース６１でガイドされており、ばね折れＦが生じた場合にもばねとして機能する。また、復帰ばね２０の場合には、図１１の（１）、（２）に示すように、その内側がガイド部材であるガイドロッド１９によりガイドされており、ばね折れＦが生じた場合にもばねとして機能する。
【００５０】
次に上記のように構成された検出スイッチであるリミットスイッチの作動を説明する。
【００５１】
操作体であるドッグ（図示せず）を移動して、このドッグをリミットスイッチのローラ５８に接して、ローラレバー５７を、図６において右方向に倒し、リミットスイッチを作動させるのであるが、このローラレバー５７が倒されることにより回転軸４８が回転する。
【００５２】
図１３の（１）に示すように、ＦＰ（自由位置）状態では、回転軸４８のカム部５３のベアリング受部５６は、その球状凹面５６ａでベアリング７０を受けており、カム部５３の平坦面部５５は第１のプランジャ６２の先端部が当接している。
【００５３】
そして、回転軸４８が回転して、ＦＰ（自由位置）状態から図１３の（２）に示すＰＴ１（動作最小位置）状態に移行すると、カム部５３のベアリング受部５６の球状凹面５６ａからベアリング７０が離れ、ベアリング受部５６の突起部５６ｃがベアリング７０を介して第２のプランジャ６６をばね部材７１に抗して押し込む。このＰＴ１状態では第２のプランジャ６６のストロークＬ１は１．７３５ｍｍになる。
【００５４】
また、第１のプランジャ６２は、ＦＰ（自由位置）状態から回転軸４８が回転し始めると、カム部５３の平坦面部５５が第１のプランジャ６２を復帰ばね６５を圧縮しながら押し込む。
【００５５】
さらに、ＰＴ１状態から回転軸４８が回転すると、ベアリング受部５６の突起部５６ｃがベアリング７０を介して第２のプランジャ６６を押し込み、突起部５６ｃが第２のプランジャ６６の軸線ロ上に位置するベアリング７０の頂点Ｐに接すると第２のプランジャ６６の押し込みが完了し、以後、第２のプランジャ６６は停止する。この停止でＯＴ吸収が行われる。
【００５６】
そして、ＴＴＰ（動作限度位置）状態になると、図１３の（３）に示すように、カム部５３のベアリング受部５６の円弧面５６ｂがベアリング７０に摺接する。また、第１のプランジャ６２は、ＰＴ１状態から回転軸４８が回転し始めると、カム部５３の平坦面部５５が第１のプランジャ６２を復帰ばね６５を圧縮しながら押し下げ、ＴＴＰ状態に至る。ＴＴＰ状態の場合の回転軸４８の回転角度は約７５度であり、第２のプランジャ６６のストロークＬ２は３．１７５ｍｍになる。
【００５７】
上記したように、ＰＴ１状態からＴＴＰ状態に移行する過程で、第２のプランジャ６６は、その端部に設けた押圧子６８を介して一方及び他方のスイッチ３３、３３−１の操作プランジャ２、２−１を押し込む。
【００５８】
このために、一方及び他方の検出スイッチ部３３、３３−１において、操作プランジャ２、２−１が復帰ばね２０に抗して押し込まれて、一方の検出スイッチ部３３において、第１スイッチ部２３では可動接点３ａが固定接点２１より離れてスイッチオフの状態になるし、また、第２スイッチ部２４では可動接点４ａが固定接点２２に接してスイッチオンの状態になる。また、他方の検出スイッチ部３３−１において、第１、第２スイッチ部２５、２６が共にスイッチオフの状態になる。
【００５９】
そして、アクチュエータ４４からドッグが離れると、復帰ばね６５のばね力により第１のプランジャ６２が押し上げられて、カム部５３の平坦面部５５を押し上げて回転軸４８を逆回転させて、アクチュエータ４４を元の位置に復帰させる。また、一方及び他方の検出スイッチ部３３、３３−１の復帰ばね２０のばね力により操作プランジャ２、２−１が押し上げられて、一方の検出スイッチ部３３において、第１スイッチ部２３では可動接点３ａが固定接点２１に接触してスイッチオンの状態になる。
【００６０】
また、第２スイッチ部２４では可動接点４ａが固定接点２２より離れてスイッチオフの状態になる。また、他方の検出スイッチ部３３−１において、第１、第２スイッチ部２５、２６は共にスイッチオンの状態になる。
【００６１】
上記した実施の形態によれば、１つの操作体（例えば、ドッグ）がアクチュエータ４４を作動させてプランジャ手段の第１の操作プランジャ６６を作動させ、この第１の操作プランジャ６６で一方及び他方のバー部１７、１７−１を押圧して一方及び他方の検出スイッチ部３３、３３−１を同時に作動させることができる。
【００６２】
このために、設計が簡素化されてコストダウンを計ることができる。また、万が一、一方の検出スイッチ部３３で復帰不良が生じたとしても、他の検出スイッチ部３３−１が作動するようになるために、確実にトラブルを回避することができる。
【００６３】
また、復帰ばね２０にセーフティスプリングを用いたことにより、ばね折れが生じても、一方及び他方の検出スイッチ部３３、３３−１におけるノーマルオープン接点を強制的に開離させることができる。
【００６４】
なお、操作プランジャ２、２−１のバー部１７、１７−１の形状を変えることにより、２以上の検出スイッチ部３３、３３−１を組合せることが可能であり、これらの検出スイッチ部３３、３３−１を１つの操作体で作動させることができる。
【００６５】
（実施の形態２）
本発明に係る検出スイッチ（実施の形態２）を図１４および図１５に示す。図１４の（１）は本発明に係る検出スイッチ（実施の形態２）の縦断面図、図１４の（２）は（１）のＸ部の拡大図、図１５は同検出スイッチ部の一部破断した断面図である。
【００６６】
本発明に係る検出スイッチ（実施の形態２）が上記した本発明に係る検出スイッチ（実施の形態１）と異なる構成は、プランジャ押圧子による検出スイッチ部の操作プランジャのバー部への当接手段である。他の構成は上記した本発明に係る検出スイッチ（実施の形態１）のものと同じであるために、その構成部品に同一符号を付して説明を省略する。
【００６７】
当接手段は、第２のプランジャ６６の端部に螺着された押圧子９６と、一方及び他方の検出スイッチ部３３、３３−１の操作プランジャ２、２−１のバー部１７、１７−１に設けられた突起部９７とから構成してある。
【００６８】
押圧子９６は一種の調整ねじ部材であり、ねじ部９６ａと、このねじ部９６ａの端部に設けられた六角形状で且つ偏平状の先部である頭部９６ｂとを有している。そして、この押圧子９６は、そのねじ部９６ａを第２のプランジャ６６の端部に形成されたねじ孔部９８に螺合させて、第２のプランジャ６６の端部に取り付けてある。
【００６９】
また、突起部９７は、一方及び他方の検出スイッチ部３３、３３−１の操作プランジャ２、２−１のバー部１７、１７−１であって、押圧子９６に対向する面部１７ａ、１７ａ−１のバー部１７、１７−１を等分する位置に設けてあり、突起部９７は、一方及び他方の検出スイッチ部３３、３３−１が背中合わせて合わされたその合せ部９９の中心、すなわち、検出スイッチユニット４３の中心を通る芯線ハ上に位置している。
【００７０】
そして、第２のプランジャ６６に設けられた押圧子９６の頭部９６ｂが、一方及び他方の検出スイッチ部３３、３３−１の操作プランジャ２、２−１のバー部１７、１７−１に設けられた突起部９７に当接している。
【００７１】
本発明に係る検出スイッチ（実施の形態２）の作動は、当接手段の動作を除いて上記した本発明に係る検出スイッチ（実施の形態１）と同様であるので説明を省略する。
【００７２】
当接手段の動作は、上記した本発明に係る検出スイッチ（実施の形態１）の動作において、ＰＴ１状態からＴＴＰ状態に移行する過程で、第２のプランジャ６６は、その端部に設けた押圧子９６の頭部９６ｂが突起部９７に点接触で当り、この突起部９７を押圧して一方及び他方のスイッチ３３、３３−１の操作プランジャ２、２−１を押し込む。
【００７３】
この場合、突起部９７はバー部１７、１７−１を等分する位置に設けてあり、しかも、検出スイッチユニット４３の中心を通る芯線ハ上に位置しているために、一方及び他方の検出スイッチ部３３、３３−１の操作プランジャ２、２−１に加わる作用力は同じ大きさになる。このために、操作プランジャ２、２−１が正常に作動し、一方及び他方の検出スイッチ部３３、３３−１において、操作プランジャ２、２−１が復帰ばね２０に抗して押し込まれて、一方の検出スイッチ部３３において、第１スイッチ部２３では可動接点３ａが固定接点２１より離れてスイッチオフの状態になるし、また、第２スイッチ部２４では可動接点４ａが固定接点２２に接してスイッチオンの状態になる。また、他方の検出スイッチ部３３−１において、第１、第２スイッチ部２５、２６が共にスイッチオフの状態になる。
【００７４】
なお、第２のプランジャ６６の中心は、内蔵スイッチである検出スイッチユニット４３の中心（芯線ハ）に対してずらせてあるが、これは互換性（外形サイズ、形状）を意識したためである。検出スイッチユニット４３の配線スペースを確保するために、ケース４１Ａに空間を設けている。そのために、第２のプランジャ６６の中心は検出スイッチユニット４３の中心（芯線ハ）に対してずれている。また、リミットスイッチの外形を変えずに内蔵スイッチのバリエーションを増やすことができれば、ユーザーは、設備の変更、すなわち取付ピッチなどを変更することなく容易に対応できる。
【００７５】
【発明の効果】
以上説明したように、本発明に係る検出スイッチによれば、アクチュエータの作動によるプランジャ手段の作動によって、操作プランジャを押込み作動させて複数の検出スイッチ部にスイッチング動作を行わせる検出スイッチであって、検出スイッチ部の操作プランジャの端部を屈曲して、この屈曲部をプランジャ手段が押圧する押圧部にし、複数の検出スイッチ部を組み合わせた状態にして、複数の検出スイッチ部の押圧部にプランジャ手段が押圧作用するようにしたことにより、１つの操作体（例えば、ドッグ）がアクチュエータを作動させてプランジャ手段を作動させ、このプランジャ手段で押圧部を押圧して複数の検出スイッチ部を同時に作動させることができる。
【００７６】
このように、複数の検出スイッチ部を１つの操作体（例えば、ドッグ）により作動させることができるために、設計が簡素化されてコストダウンを計ることができる。また、万が一、複数の検出スイッチ部のうち、１つに検出スイッチ部で復帰不良が生じたとしても、他の検出スイッチ部が作動するようになるために、確実にトラブルを回避することができる。
【００７７】
また、上記した本発明の検出スイッチにおいて、一方及び他方の検出スイッチ部の操作プランジャの端部を屈曲してバー部を形成し、バー部をプランジャ手段が押圧する押圧部にすると共に、操作プランジャの端部にバー当接部を設け、一方の検出スイッチ部と他方の検出スイッチ部とを互いに合せた状態にして、一方の検出スイッチ部のバー部を、他方の検出スイッチ部のバー当接部に当接し、他方の検出スイッチ部のバー部を、一方の検出スイッチ部のバー当接部に当接して、一方及び他方の検出スイッチ部のバー部にプランジャ手段が押圧作用するようしてもよい。
【００７８】
この場合、１つの操作体（例えば、ドッグ）がアクチュエータを作動させてプランジャ手段を作動させ、このプランジャ手段で一方及び他方の操作プランジャの押圧部を押圧して一方及び他方の検出スイッチを同時に作動させることができる。
【００７９】
また、上記した本発明の検出スイッチにおいて、プランジャ手段に押圧子を設け、一方及び他方の検出スイッチ部の操作プランジャのバー部の、これらのバー部を等分する位置に突起部を設け、押圧子を突起部に当接させるようにしてもよい。
【００８０】
この場合、突起部はバー部を等分する位置に設けてあるために、一方及び他方の検出スイッチ部の操作プランジャに加わる作用力は同じ大きさになり、これらの操作プランジャが正常に作動し、スイッチング動作を確実に行うことができ、また、押圧子は突起部に点接触で当接させると、摩擦が少なく当接が確実になる
【００８１】
また、上記した本発明の検出スイッチにおいて、一方の検出スイッチ部と他方の検出スイッチ部とを同じ構成して、一方の検出スイッチ部と他方の検出スイッチ部とを組合せるようにしてもよい。
【００８２】
この場合、一方の検出スイッチ部と他方の検出スイッチ部とが同じ構成であるために、組立性が良好になるばかりか、検出スイッチの製作コストを低減させることができる。
【００８３】
また、上記した本発明の検出スイッチにおいて、検出スイッチが、押圧体（例えば、操作プランジャ）の作動によって操作プランジャを復帰ばねに抗して押込み作動させてスイッチング動作を行う構成にし、復帰ばねにセーフティスプリングを用いることにより、ばね折れが生じても、検出スイッチにおけるノーマルオープン接点を強制的に開離させることができる。
【図面の簡単な説明】
【図１】本発明に係る検出スイッチ（実施の形態１）において、２つの検出スイッチ部を組合せてユニット化した状態の斜視図である。
【図２】同検出スイッチ部をユニット化する前の斜視図である。
【図３】同検出スイッチ部をユニットした状態の縦断面図である。
【図４】同検出スイッチ部をユニットした状態の一部破断した断面図である。
【図５】同検出スイッチの操作プランジャの斜視図である。
【図６】本発明に係る検出スイッチ（実施の形態１）の一部破断した正面図である。
【図７】同検出スイッチの縦断面図である。
【図８】検出スイッチユニットのケースの斜視図である。
【図９】回転軸の斜視図である。
【図１０】セーフティスプリングの正面図である。
【図１１】（１）はセーフティスプリングの内側をガイドした場合の説明図である。
（２）は同セーフティスプリングが折損した場合の説明図である。
【図１２】（１）はセーフティスプリングの外側をガイドした場合の説明図である。
（２）は同セーフティスプリングが折損した場合の説明図である。
【図１３】（１）、（２）、（３）は本発明の検出スイッチのプランジャ機構の動作説明図である。
【図１４】（１）は本発明に係る検出スイッチ（実施の形態２）の縦断面図である。
（２）は（１）のＸ部の拡大図である。
【図１５】同検出スイッチの一部破断した正面図である。
【図１６】従来の検出スイッチの縦断面図である。
【図１７】同検出スイッチの検出スイッチ部の一部破断した正面図である。
【図１８】同検出スイッチ部の縦断面図である。
【符号の説明】
１  スイッチケース
２  操作プランジャ
２Ａ  プランジャ本体
２−１  操作プランジャ
３  第１可動片
３ａ  第１可動接点
４    第２可動片
４ａ  第２可動接点
５    第１接点ばね
６    第２接点ばね
７    係止部
８    外側ストッパー部
９    可動片ガイド
１０  可動片ガイド
１１  可動片ガイド
１２  ばね受部
１３  ばね受部
１４  ばね受部
１５  内側ストッパー部
１６  ガイド部
１７  バー部（屈曲部）
１７−１  バー部（屈曲部）
１８  バー当接部
１８−１  バー当接部
１９  ガイドロッド
２０  復帰ばね
２１  第１固定接点
２２  第２固定接点
２３  第１スイッチ部
２４  第２スイッチ部
２５  第１スイッチ部
２６  第２スイッチ部
３３  一方の検出スイッチ部
３３−１  他方の検出スイッチ部
４１  スイッチ本体
４２  ヘッド部
４３  検出スイッチユニット
４４  アクチュエータ
４６  軸受部
４７  軸受部
４８  回転軸
４９  レバー取付部
５０  支承部
５１  支承部
５２  シール溝部
５３  カム部
５４  端側支承部
５５  平坦面部
５６  ベアリング部
５６ａ  球状凹部
５６ｂ  円弧面
５６ｃ  突起部
５７  ローラレバー
５８  ローラ
５９  ローラシャフト
６０  カバー収容部
６１  ヘッドカバー
６２  第１のプランジャ（プランジャ手段）
６３  ばね受部
６４  開口部
６５  復帰ばね（プランジャ手段）
６６  第２のプランジャ（プランジャ手段）（押圧体）
６７  ベアリング収容部
６８  押圧子（プランジャ手段）（押圧体）
６９  ばね受部
７０  ベアリング
７１  ばね部材（プランジャ手段）
７２  ケース
９５  セーフティスプリング
９６  押圧子（当接手段）
９６ａ  ねじ部
９６ｂ  頭部
９７    突起部（当接手段）
９８    ねじ孔部
Ｑ    押圧部
Ｑ´  押圧部
【図１】
0003978987.tif 000002
【図２】
0003978987.tif 000003
【図３】
0003978987.tif 000004
【図４】
0003978987.tif 000005
【図５】
0003978987.tif 000006
【図６】
0003978987.tif 000007
【図７】
0003978987.tif 000008
【図８】
0003978987.tif 000009
【図９】
0003978987.tif 000010
【図１０】
0003978987.tif 000011
【図１１】
0003978987.tif 000012
【図１２】
0003978987.tif 000013
【図１３】
0003978987.tif 000014
【図１４】
0003978987.tif 000015
【図１５】
0003978987.tif 000016
【図１６】
0003978987.tif 000017
【図１７】
0003978987.tif 000018
【図１８】
0003978987.tif 000019